(57)【要約】      （修正有）【課題】液体循環回路中のポンプに故障が発生した時にも冷却液を不断に循環、流動させられ、水冷式冷却装置を正常に運転させ、この水冷式冷却装置の性能を維持させることができるコンピュータの中央処理装置用水冷式冷却装置の液体循環保証回路の提供。【解決手段】少なくとも一つの液体循環回路のポンプの前後端の管状循環回路外にバイパス循環回路が並列に接続され、該バイパス循環回路が液体循環保証回路を形成し、該バイパス循環回路に予備ポンプが設けられ、該液体循環保証回路が液体循環回路に故障が発生する時に即刻起動され、液体循環回路に不断の循環、流動を保持させ、これにより水冷式冷却装置の性能を維持し、冷却作業を行なう。【選択図】図２
0003105930.tif 000002
【実用新案登録請求の範囲】
【請求項１】
少なくとも一つの液体循環回路を具え、該液体循環回路が、集熱器、ポンプ、及び該集熱器及び該ポンプの間を連接して循環回路を形成する、コンピュータの中央処理装置用水冷式冷却装置の液体循環保証回路において、少なくとも一つの液体循環回路のポンプの前後端の管状循環回路外にバイパス循環回路が並列に接続され、該バイパス循環回路が液体循環保証回路を形成し、該バイパス循環回路に予備ポンプが設けられ、該液体循環保証回路が液体循環回路に故障が発生する時に即刻起動され、液体循環回路に不断の循環、流動を保持させ、これにより水冷式冷却装置の性能を維持することを特徴とする、コンピュータの中央処理装置用水冷式冷却装置の液体循環保証回路。
【請求項２】
請求項１記載のコンピュータの中央処理装置用水冷式冷却装置の液体循環保証回路において、少なくとも一つの液体循環回路が相互に並列に接続された二つの液体循環回路とされたことを特徴とする、コンピュータの中央処理装置用水冷式冷却装置の液体循環保証回路。
【請求項３】
請求項１記載のコンピュータの中央処理装置用水冷式冷却装置の液体循環保証回路において、マンマシンインタフェースモニタリングシステムが設けられ、それは正常運転中の少なくとも一つの液体循環回路をモニタリングし、異常を検出する時、即刻異常なポンプを切断し、対応する液体循環保証回路の予備ポンプを起動することを特徴とする、コンピュータの中央処理装置用水冷式冷却装置の液体循環保証回路。
【請求項４】
請求項３記載のコンピュータの中央処理装置用水冷式冷却装置の液体循環保証回路において、マンマシンインタフェースモニタリングシステムは、警告情報を表示して使用者にポンプに故障が発生したことを通知して水冷式冷却装置のメンテナンスを行なわせるコンピュータスクリーンを具えたことを特徴とする、コンピュータの中央処理装置用水冷式冷却装置の液体循環保証回路。
【考案の詳細な説明】
【技術分野】
【０００１】
本考案は一種のコンピュータの中央処理装置用水冷式冷却装置に使用される液体循環保証回路に関する。
【背景技術】
【０００２】
一般にコンピュータの中央処理装置（ＣＰＵ）の水冷式冷却装置は、水或いは水とその他の物質を混合させてなる液体を冷却液とし、この冷却液を管状回路中に流し、ある固定方向に向けて不断に循環流動させ、ＣＰＵの発生する熱を吸収後に水冷式冷却装置のその他の部分に伝導し、冷却の作業を行なう。
【０００３】
図１は周知の二つのＣＰＵの水冷式冷却装置を示し、この装置中の冷却液は不断に循環、流動し、一般にはポンプ１１、１２がこの管状循環回路１５中に接続され、ポンプ１１、１２を利用して液体を流動させ並びにＣＰＵ集熱器１３、１４が収集したＣＰＵ熱量を奪いさる。
【０００４】
液体循環回路中のポンプ１１或いは１２に故障が発生する時、ポンプ１１或いは１２は冷却液を循環、流動させることができなくなり、コンピュータのＣＰＵの発生する熱が水冷式冷却装置のその他の部分に伝導されず、冷却作業が行なえなくなる。この時、ＣＰＵの温度は急速に上昇し、最終的にはＣＰＵが焼損する。
【考案の開示】
【考案が解決しようとする課題】
【０００５】
本考案は周知の水冷式冷却装置の液体循環保証回路の上述の欠点を鑑み、冷却液を不断に循環させられるようにする保証回路を提供するものである。
【０００６】
即ち、本考案の主要な目的は、一種のコンピュータの中央処理装置用水冷式冷却装置の液体循環保証回路を提供することにあり、それは、液体循環回路中のポンプに故障が発生した時にも冷却液を不断に循環、流動させられ、水冷式冷却装置を正常に運転させ、この水冷式冷却装置の性能を維持させることができるものとする。本考案のもう一つの目的は、液体循環保証回路中のポンプに故障が発生して、液体循環保証回路が起動する時、即時マンマシンインタフェースモニタリングシステムを利用し、水冷式冷却装置が既に液体循環保証回路を起動したことを知り、同時に使用者にどのポンプが故障したかを告知し、使用者がこの情報により、水冷式冷却装置のメンテナンスを行なえるようにすることにある。
【課題を解決するための手段】
【０００７】
請求項１の考案は、少なくとも一つの液体循環回路を具え、該液体循環回路が、集熱器、ポンプ、及び該集熱器及び該ポンプの間を連接して循環回路を形成する、コンピュータの中央処理装置用水冷式冷却装置の液体循環保証回路において、少なくとも一つの液体循環回路のポンプの前後端の管状循環回路外にバイパス循環回路が並列に接続され、該バイパス循環回路が液体循環保証回路を形成し、該バイパス循環回路に予備ポンプが設けられ、該液体循環保証回路が液体循環回路に故障が発生する時に即刻起動され、液体循環回路に不断の循環、流動を保持させ、これにより水冷式冷却装置の性能を維持することを特徴とする、コンピュータの中央処理装置用水冷式冷却装置の液体循環保証回路としている。
請求項２の考案は、請求項１記載のコンピュータの中央処理装置用水冷式冷却装置の液体循環保証回路において、少なくとも一つの液体循環回路が相互に並列に接続された二つの液体循環回路とされたことを特徴とする、コンピュータの中央処理装置用水冷式冷却装置の液体循環保証回路としている。
請求項３の考案は、請求項１記載のコンピュータの中央処理装置用水冷式冷却装置の液体循環保証回路において、マンマシンインタフェースモニタリングシステムが設けられ、それは正常運転中の少なくとも一つの液体循環回路をモニタリングし、異常を検出する時、即刻異常なポンプを切断し、対応する液体循環保証回路の予備ポンプを起動することを特徴とする、コンピュータの中央処理装置用水冷式冷却装置の液体循環保証回路としている。
請求項４の考案は、請求項３記載のコンピュータの中央処理装置用水冷式冷却装置の液体循環保証回路において、マンマシンインタフェースモニタリングシステムは、警告情報を表示して使用者にポンプに故障が発生したことを通知して水冷式冷却装置のメンテナンスを行なわせるコンピュータスクリーンを具えたことを特徴とする、コンピュータの中央処理装置用水冷式冷却装置の液体循環保証回路としている。
【考案の効果】
【０００８】
本考案のコンピュータの中央処理装置用水冷式冷却装置の液体循環保証回路は、液体循環回路中のポンプに故障が発生した時にも冷却液を不断に循環、流動させられ、水冷式冷却装置を正常に運転させ、この水冷式冷却装置の性能を維持させることができ、また、液体循環保証回路中のポンプに故障が発生して、液体循環保証回路が起動する時、即時マンマシンインタフェースモニタリングシステムを利用し、水冷式冷却装置が既に液体循環保証回路を起動したことを知り、同時に使用者にどのポンプが故障したかを告知し、使用者にこの情報により、水冷式冷却装置のメンテナンスを行なわせることができる。
【考案を実施するための最良の形態】
【０００９】
図２を参照されたい。本考案は周知の管状循環回路にバイパス循環回路２６を設け、このバイパス循環回路に予備ポンプ２７を取付、このバイパス循環回路２６及び予備ポンプ２７を液体循環保証回路となす。コンピュータのＣＰＵ用水冷式冷却装置の液体循環回路中のポンプ２１或いは２２に故障が発生する時、コンピュータのＣＰＵ用水冷式冷却装置は即刻ポンプ２１或いは２２を切断し、並びに即時液体循環保証回路の循環回路の予備ポンプ２７を起動し、水冷式冷却装置は正常な運転を維持する。
【００１０】
上述の実施例を更に完全とするため、別にマンマシンインタフェースモニタリングシステムを図３のように設計する。コンピュータＣＰＵ用水冷式冷却装置の液体循環回路中のポンプが運転開始する時、マンマシンインタフェースモニタリングシステムが運転中のポンプが正常か否かを検出開始し、異常を検出すると、マンマシンインタフェースモニタリングシステムが即刻異常なポンプを切断し、液体循環保証回路の予備ポンプを起動し、並びに即時コンピュータスクリーンに警告情報を表示し、使用者にコンピュータＣＰＵ用水冷式冷却装置の第何号ポンプに故障が発生したかを示し、使用者はこの情報によりこのコンピュータＣＰＵ用水冷式冷却装置のメインテナンスを行なうことができる。
【００１１】
本考案のコンピュータＣＰＵ用水冷式冷却装置の液体循環保証回路は、図２のように二つのコンピュータＣＰＵ用水冷式冷却装置の実施例を以て説明されるが、本考案は一つ或いはそれ以上のコンピュータＣＰＵ用水冷式冷却装置の液体循環保証回路に適用されうる。
【００１２】
以上の実施例は本考案の権利請求範囲を限定するものではなく、本考案に基づきなしうる細部の修飾或いは改変は、いずれも本考案の権利請求範囲に属するものとする。
【図面の簡単な説明】
【００１３】
【図１】周知のコンピュータＣＰＵ用水冷式冷却装置の液体循環回路表示図である。
【図２】周知のコンピュータＣＰＵ用水冷式冷却装置の液体循環保証回路の実施例外観図である。
【図３】周知のコンピュータＣＰＵ用水冷式冷却装置の液体循環保証回路のポンプ制御ブロック図である。
【符号の説明】
【００１４】
１１、１２  ポンプ
１３、１４  ＣＰＵ集熱器
１５  管状循環回路
２１、２２  ポンプ
２３、２４  ＣＰＵ集熱器
２５  液体循環回路
２６  バイパス循環回路
２７  予備ポンプ
【図１】
0003105930.tif 000003
【図２】
0003105930.tif 000004
【図３】
0003105930.tif 000005